(57)【要約】【課題】スピーカ及び基板を収納する筐体を備え、設計の自由度を向上可能な携帯電子機器を提供する。【解決手段】携帯電話機１は、音響信号を出力する出力端子３７が設けられた基板３１と、出力端子３７から出力された音響信号が入力される入力端子３９を有し、入力端子３９に入力された音響信号を音響に変換するスピーカ３２と、互いに固定されるフロントケース２１及びリアケース２２を有し、基板３１及びスピーカ３２を収納する受話筐体２とを備え、基板３１は、出力端子３７が設けられた実装面３１ｃをリアケース２２の内面に対向させて配置され、スピーカ３２は、実装面３１ｃの外方において、リアケース２２の内面に入力端子３９を対向させて配置され、リアケース２２の内面には、一端が出力端子３７に、他端が入力端子３９に当接するブリッジ端子３３が設けられている。【選択図】図３
2007300231.tif 000002
【特許請求の範囲】
【請求項１】
音響信号を出力する出力端子が実装面に設けられた基板と、
前記出力端子から出力された音響信号が入力される入力端子を有し、前記入力端子に入力された音響信号を音響に変換するスピーカと、
前記基板及び前記スピーカを内部に格納するよう互いに固定される第１カバー部材及び第２カバー部材を有する筐体と、
を備え、
前記基板は、前記実装面を前記第１カバー部材の内面側に対向させて配置され、
前記スピーカは、前記筐体内において前記基板に隣り合うよう前記実装面の外方において、前記第１カバー部材の前記内面に前記入力端子を対向させて配置され、
前記第１カバー部材の前記内面には、一端が前記出力端子に、他端が前記入力端子に当接する複数の端子片を有するブリッジ端子が設けられている
携帯電子機器。
【請求項２】
前記スピーカを複数備え、
それぞれの前記入力端子及び当該入力端子に前記音響信号の出力を行う前記出力端子の組が複数設けられるとともに、それぞれの前記入力端子と出力端子との組ごとに少なくとも一つが配されるよう前記ブリッジ端子を複数備え、
複数の前記ブリッジ端子は互いに同一の形状である
請求項１に記載の携帯電子機器。
【請求項３】
前記スピーカ及び前記基板は、前記入力端子と前記出力端子とがそれぞれ前記第１カバー部材の前記内面への対向方向において均等な位置になるよう配置され、
前記ブリッジ端子は、前記カバー部材の内面へ取り付けられる取付部を有するとともに、当該取付部から延びて前記入力端子に当接する第１端子片と、前記取付部から延びて前記出力端子に当接する第２端子片とを、前記複数の端紙片として有し、
前記第１端子片と前記第２端子片とは同一の長さである
請求項１又は２に記載の携帯電子機器。
【発明の詳細な説明】
【技術分野】
【０００１】
本発明は、携帯電話機等の携帯電子機器に関する。
【背景技術】
【０００２】
携帯電話機等、スピーカを有する携帯電子機器が種々知られている。一般に、スピーカは、一方の端面に音響信号が入力される端子を有し、他方の端面に音響を出力する放音面を有している。そして、携帯電子機器では、電子機器全体の小型化のために、スピーカと、スピーカに音響信号を出力する電子回路が設けられた基板とは、スピーカの端子が設けられた面に基板の実装面を当接させるようにして積層配置される（例えば特許文献１）。なお、特許文献１では、基板としてＦＰＣ（フレキシブルプリント配線板）を用いて筐体の薄型化を図っている。
【特許文献１】特開２００５−２６８５９２号公報
【発明の開示】
【発明が解決しようとする課題】
【０００３】
しかし、スピーカと基板とを積層する携帯電子機器では、種々の不都合が生じる。例えば、携帯電子機器の筐体を薄型にデザインする場合、スピーカの厚みと基板の厚みとを合算した厚みを筐体に確保する必要があり、デザインに制約が生じる。また、スピーカの厚みも自由に選択することができず、選択肢が狭くなる。スピーカの放音面側のキャビティが十分に確保できず、音質が低下するおそれもある。
【０００４】
本発明の目的は、スピーカ及び基板を収納する筐体を備え、設計の自由度が高い携帯電子機器を提供することにある。
【課題を解決するための手段】
【０００５】
本発明の携帯電子機器は、音響信号を出力する出力端子が実装面に設けられた基板と、前記出力端子から出力された音響信号が入力される入力端子を有し、前記入力端子に入力された音響信号を音響に変換するスピーカと、前記基板及び前記スピーカを内部に格納するよう互いに固定される第１カバー部材及び第２カバー部材を有する筐体と、を備え、前記基板は、前記実装面を前記第１カバー部材の内面側に対向させて配置され、前記スピーカは、前記筐体内において前記基板に隣り合うよう前記実装面の外方において、前記第１カバー部材の前記内面に前記入力端子を対向させて配置され、前記第１カバー部材の前記内面には、一端が前記出力端子に、他端が前記入力端子に当接する複数の端子片を有するブリッジ端子が設けられている。
【０００６】
好適には、前記スピーカを複数備え、それぞれの前記入力端子及び当該入力端子に前記音響信号の出力を行う前記出力端子の組が複数設けられるとともに、それぞれの前記入力端子と出力端子との組ごとに少なくとも一つが配されるよう前記ブリッジ端子を複数備え、複数の前記ブリッジ端子は互いに同一の形状である。
【０００７】
好適には、前記スピーカ及び前記基板は、前記入力端子と前記出力端子とがそれぞれ前記第１カバー部材の前記内面への対向方向において均等な位置になるよう配置され、前記ブリッジ端子は、前記カバー部材の内面へ取り付けられる取付部を有するとともに、当該取付部から延びて前記入力端子に当接する第１端子片と、前記取付部から延びて前記出力端子に当接する第２端子片とを、前記複数の端紙片として有し、前記第１端子片と前記第２端子片とは同一の長さである。
【発明の効果】
【０００８】
本発明によれば、スピーカ及び基板を収納する筐体を備えた携帯電子機器の設計の自由度を向上できる。
【発明を実施するための最良の形態】
【０００９】
図１は、本発明の実施形態に係る携帯電話機１の外観を開状態で示す斜視図である。携帯電話機１は、いわゆる折り畳み式の携帯電話機として構成されており、開状態と閉状態との間で互いに回動可能に連結された受話筐体２及び送話筐体３を備えている。
【００１０】
受話筐体２及び送話筐体３は、それぞれの端部が回動の中心となる連結部４により連結されることにより携帯電話機１全体の筐体を構成するようになっている。受話筐体２及び送話筐体３は、それぞれ概ね薄型直方体状に形成されており、閉状態では互いに重ねあわされて互いの輪郭が略一致する（図５（ａ）参照）。
【００１１】
受話筐体２には、例えば、通話用のスピーカ１０７（図６参照）、報知用のスピーカ３２（図３参照）、画像や文字を表示するメイン表示部６、サブ表示部３５（図５参照）、カメラモジュール５１（図３参照）が設けられている。送話筐体３には、例えば、通話用のマイクロフォン１０８（図６参照）、通信のための内蔵アンテナ１０５（図６参照）、ユーザの操作を受け付ける操作部７が設けられている。
【００１２】
連結部４は、送話筐体３の端部に形成された凹部１０に、受話筐体２の端部に形成された凸部９が嵌合して構成されている。凹部１０及び凸部９の互いに摺動する面には不図示の筒状の部材が携帯電話機１の幅方向（図１の紙面左右方向）に挿通され、当該筒状の部材を回転軸として受話筐体２及び送話筐体３は回転する。また、当該筒状の部材には、受話筐体２の電子回路と送話筐体３の電子回路とを接続する信号線が挿通されている。
【００１３】
図２及び図３は、受話筐体２の分解斜視図であり、図２は、受話筐体２のうち閉状態において送話筐体３と対向する面（正面）側から見た図であり、図３は受話筐体２のうち閉状態において送話筐体３と対向する面の背面側から見た図である。
【００１４】
受話筐体２は、閉状態において送話筐体３と対向する面を構成するフロントケース２１と、その背面側の面を構成するリアケース２２とを備えている。フロントケース２１及びリアケース２２は、例えば、非導電性の樹脂により構成され、フロントケース２１に形成された透孔２４（図３）に正面側から挿通された不図示のネジが、リアケース２２に形成されたネジボス２５（図２）に螺合されることにより互いに固定される。なお、図２では透孔２４はシートなどにより被覆されて不図示である。
【００１５】
フロントケース２１とリアケース２２との間には、基板３１（図３）、スピーカ３２、及び、基板３１とスピーカ３２とを電気的に接続するためのブリッジ端子３３が設けられている。すなわち、受話筐体２には、基板３１、スピーカ３２、ブリッジ端子３３が収納されている。なお、リアケース２２は、基板３１及びスピーカ３２上に積層されている。フロントケース２１と基板３１との間には、メイン表示部６を構成する表示装置などが配置されている（図５（ｂ）参照）。
【００１６】
基板３１は、例えば樹脂をベースとしたプリント配線基板により構成されている。基板３１は、フロントケース２１及びリアケース２２に対して積層的に配置され、受話筐体２の長手方向（回転軸に直交する方向、図１の紙面上下方向）においては、凸部９に隣接する位置から凸部９とは反対側の受話筐体２の端部に亘って、受話筐体２の幅方向（回転軸方向、図１の紙面左右方向）においては、受話筐体２の一の側部から他の側部に亘って広がっている。ただし、凸部９側とは反対側の略半分程度の範囲においては、受話筐体２の背面側に画像を表示するサブ表示部３５を構成する表示装置（例えば液晶表示装置）を挿入して配置するための切り欠き部３１ａが比較的広い範囲で形成されている。
【００１７】
基板３１には、例えば、メイン表示部６やサブ表示部３５の動作を制御する画像処理部１０３（図６参照）やスピーカ３２に音響信号を出力するための音響処理部１０６（図６参照）が設けられている。また、基板３１のリアケース２２に対向する実装面３１ｃには、音響信号を出力するための出力端子３７Ｐ、３７Ｎ（以下、単に「出力端子３７」といい、両者を区別しないことがある。）が設けられている。
【００１８】
出力端子３７Ｐ、３７Ｎは、一方が他方よりも電位が高く、その電位の差の変動により音響信号を伝達するものである。なお、出力端子３７Ｐ、３７Ｎの一方は基準電位であってもよい。出力端子３７Ｐ及び３７Ｎは、受話筐体２の幅方向に配列されている。ただし、受話筐体２の長手方向に互いに若干ずれた位置に配置されている。出力端子３７Ｐ、３７Ｎの組は、受話筐体２の幅方向両側に１組ずつ設けられ、合計２組設けられている。
【００１９】
出力端子３７は、例えば基板３１の実装面３１ｃに形成された導電パターン層により形成されており、接触面を実装面３１ｃの向く方向と同一方向に向けて（リアケース２２に対向して）有している。すなわち、出力端子３７はパッド状に形成されている。出力端子３７の平面形状は適宜であるが、例えば矩形である。
【００２０】
基板３１は、縁部がフロントケース２１の外周面２１ａの内側面に当接することにより、受話筐体２に対して位置決めされている。また、フロントケース２１の内側には、受話筐体２の長手方向において、凸部９の配置領域と、それ以外の領域とを仕切るように、受話筐体２の幅方向に延びるリブ２１ｂが設けられており、基板３１は、縁部がリブ２１ｂに当接することによっても受話筐体２に対して位置決めされている。
【００２１】
スピーカ３２は、例えば受話筐体２の凸部９側の端部に、凸部９を挟むようにして幅方向両側に１つずつ、合計２つ設けられている。スピーカ３２は、例えば、ダイナミックスピーカにより構成されている。スピーカ３２は、例えば、略円盤状に構成され、フロントケース２１及びリアケース２２に対して積層的に配置されている。
【００２２】
スピーカ３２のリアケース２２に対向する端面３２ａには入力端子３９Ｐ、３９Ｎ（以下、単に「入力端子３９」といい、両者を区別しないことがある。）が設けられている。スピーカ３２の他方の端面３２ｂは放音面（以下、「端面３２ｂ」を「放音面３２ｂ」ということがある。）となっている。スピーカ３２は、入力端子３９Ｐ、３９Ｎの電位差の変動を振動板の振動に変換し、すなわち、入力された音響信号を音響に変換して放音面３２ｂから出力する。
【００２３】
入力端子３９Ｐ、３９Ｎは、例えば、端面３２ａのうち外周側付近に概ね円周方向に沿って配列されている。入力端子３９は、例えば、板金により構成されており、端面３２ａと略同一面上に位置する接触面を端面３２ａの向く方向と同一方向に向けて（リアケース２２に対向して）有している。すなわち、入力端子３９はパッド状に形成されている。入力端子３９の平面形状は適宜であるが、例えば矩形である。
【００２４】
スピーカ３２は、ホルダ４５により、受話筐体２に対して位置決めされている。ホルダ４５は、一のスピーカ３２を保持するスピーカ保持部４６Ａと、カメラモジュール５１を保持するカメラ保持部４７と、他のスピーカ３２を保持するスピーカ保持部４６Ｂ（単に、「スピーカ保持部４６」といい、スピーカ保持部４６Ａとスピーカ保持部４６Ｂとを区別しないことがある。）とを、受話筐体２の幅方向へ順に、一列に有している。ホルダ４５は、例えば樹脂により形成されており、スピーカ保持部４６Ａ、４６Ｂ、カメラ保持部４７は一体的に形成されている。
【００２５】
スピーカ保持部４６は、リアケース２２側にスピーカ３２が嵌合する凹部４６ａ（図３）が形成されている。凹部４６ａの底部には、スピーカ３２の放音面３２ｂをフロントケース２１側に露出させる孔部４６ｂ（図２）が開口している。
【００２６】
カメラ保持部４７は、フロントケース２１側にカメラモジュール５１が嵌合する凹部４７ａが形成されている。凹部４７ａの底部には、カメラモジュール５１の撮像レンズ５１ａをリアケース２２側に露出させる孔部４７ｂが開口している。
【００２７】
ホルダ４５は、フロントケース２１の凸部９側の外周面２１ａの内側面と、リブ２１ｂとによって囲まれた領域（凹部）に嵌合してフロントケース２１に対して位置決めされている。これにより、ホルダ４５に保持されたスピーカ３２やカメラモジュール５１もフロントケース２１に対して位置決めされている。
【００２８】
フロントケース２１の外周面２１ａの内側面やリブ２１ｂのうちホルダ４５側の壁部には、ホルダ４５側に突出する爪部２１ｃ（図３）が設けられており（ただし、外周面２１ａに設けられているものは外周面２１ａによって隠れて不図示）、ホルダ４５の縁部などに係合してホルダ４５の抜けを防止している。
【００２９】
スピーカ３２の放音面３２ｂから出力された音響は、スピーカ保持部４６の孔部４６ｂ、スピーカ保持部４６とフロントケース２１との間に配置されたメッシュシート５５、フロントケース２１の外周面２１ａに開口する放音孔５６を順に経由して、受話筐体２の外部へ出力される。
【００３０】
なお、メッシュシート５５は、樹脂、金属、布などの適宜な材料により形成されるとともに外周にスポンジなどの弾性部材を有しており、フロントケース２１に接着剤などの固定手段により取り付けられている。メッシュシート５５は、例えば、スピーカ３２の音漏れ、スピーカ３２へのゴミの侵入防止、スピーカ音によるいわゆるビビリ防止に寄与するものである。
【００３１】
カメラモジュール５１は、通常撮影モードと、近影を撮影するマクロモードとを、レバー５１ａに対する揺動操作により切換可能に構成されている。レバー５１ａは、カメラ保持部４７に形成された切り欠き部に挿通されて、筐体外部に露出するマクロノブ５７に連結されており、マクロノブ５７のスライド操作によって操作される。
【００３２】
ブリッジ端子３３は、出力端子３７と入力端子３９との組が合計４組設けられていることに対応して４つ設けられている。４つのブリッジ端子３３は、互いに同一の材質、形状である。換言すれば、４つのブリッジ端子３３は、互いに交換可能である。
【００３３】
ブリッジ端子３３は、例えば板金の打ち抜き加工や曲げ加工等のプレス加工により形成されており、一枚の金属片からなる。ブリッジ端子３３は、全体として概ね長尺状に形成されるとともに、長尺方向において湾曲するように形成されており、リアケース２２に取り付けられる取付部３３ａと、取付部３３ａを挟んで互いに反対方向へ延び、互いに同一形状（同一の長さ）、つまり取付部３３ａを挟んで長手方向において対称になる２つの端子片３３ｂとを有している。取付部３３ａには、Ｄ字などの非円形の孔部３３ｃが形成されている。端子片３３ｂは、長尺方向の端部側において二股に分かれている。
【００３４】
ブリッジ端子３３は、リアケース２２の内面に形成されたボス６０（図２）が孔部３３ｃに挿通されることにより、リアケース２２に対して位置決めされている。ブリッジ端子３３と、リアケース２２とは、フロントケース２１とリアケース２２との固定前に、接着剤による接着や熱かしめ等の適宜な方法により互いに固定されている。ボス６０の断面を孔部３３ｃに対応させＤ字状などの非円形とすれば、取り付けの際の位置決めにより有効である。
【００３５】
そして、基板３１及びスピーカ３２をフロントケース２１に対して位置決めし、リアケース２２を被せて、フロントケース２１とリアケース２２とを互いに固定すると、基板３１の出力端子３７と、スピーカ３２の入力端子３９とは、ブリッジ端子３３を介して電気的に接続される。
【００３６】
図４は、フロントケース２１とリアケース２２とが互いに固定されている状態において、受話筐体２の内部を示す斜視図である。
【００３７】
ブリッジ端子３３は、２つの端子片３３ｂのうち、一方の端子片３３ｂの端部が出力端子３７に、他方の端子片３３ｂの端部が入力端子３９に当接している。これにより、出力端子３７と入力端子３９とは導通している。なお、ブリッジ端子３３は、リアケース２２、出力端子３７及び入力端子３９により、長尺方向の湾曲を矯正する方向に力を受けて弾性変形している。換言すれば、ブリッジ端子３３は、板バネとして機能し、その付勢力により、出力端子３７及び入力端子３９に確実に当接している。
【００３８】
スピーカ３２は、その外周部のうち一部に、直方体状に若干突出する突出部が形成され、当該突出部に入力端子３９が設けられている。また、スピーカ３２は、スピーカ３２の受話筐体２の長手方向における配置領域を小さくするために、当該突出部が形成された範囲を受話筐体２の長手方向に対して斜めの方向に向けて配置されている。このため、入力端子３９Ｐと入力端子３９Ｎとは、受話筐体２の長手方向において互いにずれた位置に配置されている。一方、出力端子３７Ｐ、３７Ｎも入力端子３９Ｐ、３９Ｎのずれ量に応じて受話筐体２の長手方向において互いにずれた位置に配置されている。従って、出力端子３７Ｐと入力端子３９Ｐとの接続、出力端子３７Ｎと入力端子３９Ｎとの接続は、同一形状のブリッジ端子３３により可能となっている。
【００３９】
フロントケース２１とリアケース２２との固定の際には、ホルダ４５により、カメラモジュール５１と、リアケース２２に設けられた撮影窓６５との位置決めも行われる。具体的には、ホルダ４５のカメラ保持部４７のリアケース２２側（図４の紙面上方側）の面に、位置決め孔４７ｃ、４７ｄが対角線上に設けられており、一方、リアケース２２の内面に、図２に示すように、ボス６２、６３が設けられており、ボス６２、６３がそれぞれ位置決め孔４７ｃ、４７ｄに嵌合することにより、ホルダ４５とリアケース２２とが位置決めされ、ひいては、カメラモジュール５１と撮影窓６５とが位置決めされる。そして、当該位置決めにより、カメラモジュール５１の撮像レンズ５１ａの光軸と撮影窓６５の中心とが一致し、撮像画像の欠け、センターズレによる撮像画像に対する違和感が防止される。なお、リアケース２２には、撮影窓６５に隣接してストロボ用の開口６６が設けられている。
【００４０】
図５は、ブリッジ端子３３を用いることによる筐体の薄型化の効果を説明する図であり、図５（ａ）は閉状態の携帯電話機１を受話筐体２の背面側（リアケース２２側）から見た平面図であり、図５（ｂ）は図５（ａ）のＶｂ−Ｖｂ線矢視方向における断面図（ただし、受話筐体２のみ示す。）、図５（ｃ）は図５（ａ）のＶｃ−Ｖｃ線矢視方向における断面図（ただし、受話筐体２のみ示す。）である。
【００４１】
図５（ｂ）に示すように、受話筐体２の平面方向（図５（ｂ）の紙面左右方向）において、カメラモジュール５１は基板３１の外方に設けられている。また、受話筐体２の厚み方向（図５（ｂ）の紙面上下方向）において、基板３１は、カメラモジュール５１のリアケース２２側の端面からフロントケース２１側の端面までの間に設けられている。換言すれば、基板３１とカメラモジュール５１とは、受話筐体２の厚み方向において同一の位置に配置されている。従って、受話筐体２に、カメラモジュール５１の厚みと基板３１の厚みとを合算した厚みを確保する必要がない。なお、フロントケース２１のリブ２１ｂ（図３）は、受話筐体２の幅方向中央において切り欠かれており、図５（ｂ）に示すように、基板３１と、ホルダ４５のカメラ保持部４７とは隣接している。
【００４２】
図５（ｃ）に示すように、受話筐体２の平面方向において、スピーカ３２は基板３１の外方に設けられている。また、受話筐体２の厚み方向において、基板３１は、スピーカ３２のリアケース２２側の端面３２ａからフロントケース２１側の端面３２ｂまでの間に設けられている。換言すれば、基板３１とスピーカ３２とは、受話筐体２の厚み方向において同一の位置（ケース内面からそれぞれの端子の距離が均等になるよう）に配置されている。従って、受話筐体２に、スピーカ３２の厚みと基板３１の厚みとを合算した厚みを確保する必要がない。
【００４３】
図６は、携帯電話機１の信号処理系の構成の一例を示すブロック図である。ＣＰＵ１０１及びメモリ１０２は例えばＩＣにより構成され、操作部７等の各種手段からの信号に基づいて所定の演算を行い、画像処理部１０３等の各種手段の制御を実行する制御部として機能する。
【００４４】
通信処理部１０４は、高周波回路を含んで構成され、電波を利用した無線通信を行うために、ＣＰＵ１０１で処理された音声データ、画像データ等の各種データを変調して、アンテナ１０５を介して送信する。また、通信処理部１０４は、アンテナ１０５を介して受信した信号を復調してＣＰＵ１０１に出力する。
【００４５】
音響処理部１０６は、ＣＰＵ１０１からの音響データを音響信号に変換して通話用のスピーカ１０７、報知や音楽再生用のスピーカ３２に出力する。又、音響処理部１０６は、マイクロフォン１０８からの音響信号を音響データに変換してＣＰＵ１０１に出力する。
【００４６】
なお、音響処理部１０６は、例えば基板３１に設けられており、音響処理部１０６からスピーカ３２への音響信号の出力は、上述のように、出力端子３７、ブリッジ端子３３、入力端子３９を順に経由して行われる。
【００４７】
画像処理部１０３は、ＣＰＵ１０１からの画像データを画像信号に変換してメイン表示部６、サブ表示部３５に出力する。また、カメラモジュール５１から出力される撮像信号（画像データ）を所定のフォーマットの画像データに変換してＣＰＵ１０１へ出力する。
【００４８】
以上の携帯電話機１によれば、基板３１は、出力端子３７が設けられた実装面３１ｃをリアケース２２の内面に対向させて配置され、スピーカ３２は、基板３１の実装面３１ｃの外方において、リアケース２２の内面に入力端子３９を対向させて配置され、リアケース２２の内面には、一端が出力端子３７に、他端が入力端子３９に当接するブリッジ端子３３が設けられていることから、基板３１とスピーカ３２とを積層せずに出力端子３７から入力端子３９に音響信号を入力することができ、受話筐体２内に基板３１の厚みとスピーカ３２の厚みとを合算した厚みを確保する必要がなくなり、設計の自由度が向上する。その結果、受話筐体２の薄型化、スピーカ３２の選択肢の増加、スピーカ３２のフロントキャビティやバックキャビティの確保による音質向上の容易化、スピーカ３２からの音を筐体外部へ導く音道の設計の容易化などの効果が得られる。
【００４９】
また、従来は、出力端子と入力端子とを直接当接させていたことから、スピーカの入力端子は板バネとして機能するようにスピーカの端面から突出しており、組み込み工程等において誤って曲げてしまうおそれがあったが、携帯電話機１では、入力端子３９はスピーカ３２の端面３２ａに沿うパッド状に形成されていることから、そのようなおそれがない。
【００５０】
さらに、スピーカ３２の組み込み又は取り外しと、基板３１の組み込み又は取り外しは、それぞれ独立して行うことができる。すなわち、従来は、基板の組み込み前にスピーカを組み込む必要があり、また、スピーカの取り外し前に基板を取り外す必要があったが、その必要がない。その結果、例えば、基板に手を触れる機会が減り、手油等による基板の腐食が低減される。
【００５１】
複数のブリッジ端子３３は互いに同一の形状であることから、部品の共通化による製造コストの低減が図られる。
【００５２】
スピーカ３２及び基板３１は、入力端子３９と出力端子３７とがリアケース２２の内面への対向方向において均等な位置になるよう配置され、２つの端子片３３ｂは互いに同一の長さであるから、ブリッジ端子３３の向きに互換性が生じる。その結果、作業負担が軽減される。例えば、実施形態では、ブリッジ端子３３のＤ字状の孔部３３ｃにリアケース２２のボス６０を嵌合させてブリッジ端子３３を位置決めする構成としたが、これらの位置決め孔及びボスの形状を長方形や長円等の点対称な非円形形状とすれば、ブリッジ端子を入力端子と出力端子とを結ぶ方向に沿って位置決め可能、かつ、２つの端子片３３ｂのいずれを入力端子又は出力端子に当接させてもよいことになり、組み込み作業の負担が軽減され、工数の削減からコストダウンを図れる。
【００５３】
なお、以上の実施形態において、受話筐体２のリアケース２２は本発明の第１カバー部材の一例であり、受話筐体２のフロントケース２１は本発明の第２カバー部材の一例である。
【００５４】
本発明は、以上の実施形態に限定されず、種々の態様で実施してよい。
【００５５】
携帯電子機器は、スピーカ及び基板を収納する筐体を有するものであればよく、携帯電話機に限定されない。例えば、ノートパソコン、ＰＤＡ、デジタルカメラであってもよい。スピーカは報知用のスピーカに限定されず、例えば通話用のものであってもよい。第１カバー部材と第２カバー部材との固定は、ネジとネジボスとによるものに限定されず、ボルト及びナットのように他の適宜な締結手段によって行われてもよいし、係合部及び被係合部、接着剤などの他の適宜な固定手段により行われてもよい。
【図面の簡単な説明】
【００５６】
【図１】本発明の実施形態に係る携帯電話機を開状態で示す外観斜視図。
【図２】図１の携帯電話機の受話筐体を正面側から見た分解斜視図。
【図３】図１の携帯電話機の受話筐体を背面側から見た分解斜視図。
【図４】図１の携帯電話機の受話筐体の内部を示す斜視図。
【図５】図１の携帯電話機の平面図及び断面図。
【図６】図１の携帯電話機の信号処理系の構成の一例を示すブロック図。
【符号の説明】
【００５７】
１…携帯電話機（携帯電子機器）、２…受話筐体、２１…フロントケース（第２カバー部材）、２２…リアケース（第１カバー部材）、３１…基板、３１ｃ…実装面、３２…スピーカ、３３…ブリッジ端子、３７…出力端子、３９…入力端子。
【図１】
2007300231.tif 000003
【図２】
2007300231.tif 000004
【図３】
2007300231.tif 000005
【図４】
2007300231.tif 000006
【図５】
2007300231.tif 000007
【図６】
2007300231.tif 000008